(57)【特許請求の範囲】
【請求項１】
送信動作をオン・オフ制御するためのＰＴＴスイッチを備えた送受信機の送信制御装置において、
ＰＴＴスイッチがオン・オフされる操作パターンが、ＰＴＴスイッチが所定の設定時間以上継続してオンされた後に所定の経過時間以内に再度オンされるパターンであることを検出したときに制御信号を出力する検出手段と、
前記制御信号に基づいて送受信機を送信動作状態に維持継続させる制御手段と、
前記制御信号に基づいて送信動作状態が維持継続されていることを使用者に報知する報知手段と
を備えたことを特徴とする送信制御装置。
【発明の詳細な説明】
【０００１】
【産業上の利用分野】
本発明は、送信動作のオン・オフを制御する送信制御装置に関するものであって、特に、ＰＴＴ（Ｐｕｓｈ−Ｔｏ−Ｔａｌｋ）スイッチを押し続けなくても送信状態を維持できる送信制御装置に関するものである。
【０００２】
【従来の技術】
一般に、無線送受信機の送受信切り換えは、ＰＴＴスイッチのオン・オフ操作によって行われ、通常、このＰＴＴスイッチを押している期間が送信状態であり、ＰＴＴスイッチを放すと受信状態に戻るように動作する。
そこで、長時間にわたって、送信状態を維持継続するためには、ＰＴＴスイッチを押しつづける必要があった。
【０００３】
そこで、ＰＴＴスイッチを押した状態に機械的にロックできるようにしたものがあるが、小型化が要求される携帯型無線送受信機等には、機械的にロックする機構では小型化を妨げることになり好ましくない。そこで、電気的に信号を保持してロック状態を得ることも可能であるが、そのためには、ロックする場合としない場合を指定するためのスイッチやロック解除するためのスイッチ等が必要になり、小型の携帯型無線送受信機等の限られた操作面には配置が困難であるという問題や、特別の複雑な操作が必要になったりするという問題があった。
【０００４】
そこで、実公平１−８０２９号公報には、ＰＴＴスイッチを軽く押すという通常の押し方では、ロックされない従来どおりの動作、つまり、ＰＴＴスイッチを押した時点で送信状態となり、放すと受信状態に戻るという動作を行い、ＰＴＴスイッチを強く押すと、ＰＴＴスイッチをロックさせ、ＰＴＴスイッチを放しても送信状態が維持継続されるという動作を行い、再度ＰＴＴスイッチを押したときに受信状態に戻るという動作を行う送信制御回路が開示されている。
【０００５】
【発明が解決しようとする課題】
ところが、上述した実公平１−８０２９号公報の回路では、ＰＴＴスイッチ自体が複雑化してＰＴＴスイッチのコストが高くなるだけでなく、使用者の意図に反してＰＴＴスイッチがロックしたりするという問題があった。
また、意図に反してＰＴＴスイッチがロックされて送信状態のままになって、使用者がそのことに気づかずに送信状態のまま放置してしまうという問題もあった。
【０００６】
そこで、本発明は、上述したような問題に鑑みて発明されたものであって、実際の使用状況に応じて必要なときに自動的にＰＴＴスイッチがロックされる送信制御装置を提供することを目的とするものである。
【０００７】
【課題を解決するための手段】
本発明にかかる送信制御装置においては、送信動作をオン・オフ制御するためのＰＴＴスイッチを備えた送受信機の送信制御装置において、ＰＴＴスイッチがオン・オフされる操作パターンが、ＰＴＴスイッチが所定の設定時間以上継続してオンされた後に所定の経過時間以内に再度オンされるパターンであることを検出したときに制御信号を出力する検出手段と、前記制御信号に基づいて送受信機を送信動作状態に維持継続させる制御手段と、前記制御信号に基づいて送信動作状態が維持継続されていることを使用者に報知する報知手段とを備えたことを特徴としている。
【０００９】
【発明の実施の形態】
以下に、本発明にかかる送信制御装置を、その実施の形態を示した図面に基づいて詳細に説明する。
【００１０】
１は携帯型無線送受信機であり、１４４ＭＨｚ帯と４３０ＭＨｚ帯と１．２ＧＨｚ帯の３バンドのＦＭトランシーバの本体である。この本体１にはマイク２がワイヤレスで接続され、このマイク２には従来同様のマイクスピーカやアップダウンスイッチ等に加えて、本発明によるＰＴＴスイッチ３とＬＥＤ４と本体１との間のワイヤレス送受信回路５が設けられている。
【００１１】
本体１には、従来同様の送受信回路、送受信切り換え回路１０、及びマイク２との間のワイヤレス送受信回路６等に加えて、本発明の送信制御装置７が設けられている。
マイク側のワイヤレス送受信回路５と本体側のワイヤレス送受信回路６とによって、マイク側のＰＴＴスイッチ３等のスイッチの操作状態は本体側へ伝達され、ＬＥＤ４等は本体側から制御される。
【００１２】
前記送信制御装置７は、マイク側のＰＴＴスイッチ３の操作パターンによって本体１の送受信を切り換えるとともに、マイク側のＬＥＤ４の点灯を制御する。
【００１３】
前記送信制御装置７は、ＰＴＴスイッチ３が従来通りの動作をする通常モードと本発明によるＰＴＴロック動作をするロックモードの二つの動作モードを備え、マイク２に備えられたファンクションキー２１を押した後にＶＦＯキー２２を押すことによって、二つの動作モードが交互に切り換えられる。
前記送信制御装置７は、図２に示したように、例えば、ＰＴＴスイッチ３が、所定の設定時間（数秒）以上オンされて、その後５秒のブレークタイム（経過時間）以内に再びＰＴＴスイッチ３がオンされたことを検出して制御信号を出力する検出手段７１と、検出手段から出力された制御信号に基づいて本体１を送信動作状態に切り換えるとともに送信動作状態に維持継続させる制御手段７２とを備える。制御手段によって送信動作状態が維持継続されると、制御手段からは点灯信号が出力され、この制御信号によってマイク２のＬＥＤ４は点灯する。
【００１４】
以上のように構成された携帯型無線送受信機１では、通常モードにおいてはＰＴＴスイッチ３を押している間だけ送信状態になるが、ファンクションキー２１を押した後にＶＦＯキー２２を押すと、ロックモードに切り換えられる。ロックモードのときはＬＥＤ４が赤色から緑色に変わる。
この状態で、例えば、ＰＴＴスイッチ３が設定時間（数秒）以上継続してオンされて、その後５秒のブレークタイム（経過時間）以内に再びＰＴＴスイッチ３がオンされるとＬＥＤ４が黄色に変わり、ＰＴＴロック状態となって送信状態が維持継続される。
【００１５】
再度、ＰＴＴスイッチ３を押すとＰＴＴロック状態は解除されて受信状態になる。
そして、再びファンクションキー２１を押した後にＶＦＯキー２２を押すと、ロックモードが解除されて通常モードに復帰する。
なお、例えば５分にタイムアウト時間を設定しておくことにより、５分間送信状態が継続されると強制的に送信状態を停止するように構成してもよい。
【００１７】
実際の交信では、通常、相手からの送信に応答する場合、まず、『了解』等の簡単な応答をした後に、受信状態に戻り、ブレークタイムと呼ばれる数秒経過した後に、実際の応答に入ることが多いので、例えば、ＰＴＴスイッチ３が、『了解』等の簡単な応答に要する時間として設定された所定の設定時間（数秒）以上オンされて、その後５秒のブレークタイム（経過時間）以内に再びＰＴＴスイッチ３がオンされると、送信制御装置７によって自動的に送信状態にロックされ、送信状態が維持継続されるようにしたのである。
【００１８】
よって、実際の運用に応じて、使用者が必要とするときだけＰＴＴロック機能が動作し、それ以外の動作では通常の動作となるので、使用者に違和感を与えることなく、自動的なＰＴＴロック機能を実現することができるのである。
【００１９】
なお、ＰＴＴロック状態になっていることを使用者に通知する手段としては、ＬＥＤの色を変えるだけでなく、点滅させたり、フラッシュさせたりして、使用者が見落とさないようにするとよい。
【００２０】
また、視覚的な報知に限らず、ビープ音等による聴覚的な報知手段でもよい。また、マイクが本体とワイヤレス接続された例で説明したが、コードで有線接続されてもよいことは当然である。さらに、マイクと本体とが一体化された所謂ハンディトランシーバにおいても、上記同様のＰＴＴロック機構を実現できる。
【００２１】
【発明の効果】
請求項１の発明では、ＰＴＴスイッチがＰＴＴスイッチを所定の設定時間以上継続してオンした後に所定の経過時間以内に再度オンすることによってＰＴＴロックされるように構成したので、ＰＴＴスイッチを押し続ける必要がなくなって、実際の運用において極めて便利になり、快適に操作できるようになった。
【図面の簡単な説明】
【図１】本発明にかかる送信制御装置の実施の形態の構成を示した構成図である。
【図２】ＰＴＴスイッチの操作パターンの例を示す図である。
【符号の説明】
３    ＰＴＴスイッチ
４    ＬＥＤ（報知手段）
７    送信制御装置
７１  検出手段
７２  制御手段
【図１】
0003582813.tif 000002
【図２】
0003582813.tif 000003